(57)【特許請求の範囲】
【請求項１】
上方に開口する送風口を有する本体ケースと、この本体ケース内に設けた除湿手段と、前記送風口の上方を、所定間隔をおいて覆った可動自在のルーバとを備え、前記ルーバには、補助ルーバを可動自在に装着し、前記送風口は、前記本体ケースの上面に設け、前記ルーバは、その送風後端を、前記送風口の送風後端よりも後方まで延長し、その送風前端を、前記送風口の送風前端よりも前方側に延長した形状とし、前記補助ルーバは、前記ルーバの送風先端側に可動自在に装着し、前記ルーバへの支持状態において９０度以上可動可能とし、前記補助ルーバを前記ルーバ送風先端側において、略直角状態に回動保持した場合にも、前記ルーバ送風先端側と前記補助ルーバ間には送風路が形成されることを特徴とする除湿装置。
【請求項２】
ルーバの送風先端側は下方への湾曲状態とし、この湾曲面の一部を補助ルーバで構成した請求項１に記載の除湿装置。
【請求項３】
ルーバの送風先端部の両側に、送風先端方向に伸びる補助ルーバ支持部を設け、これら両側の補助ルーバ支持部間に、補助ルーバの両側の支軸を軸支させた請求項１または２に記載の除湿装置。
【請求項４】
ルーバの補助ルーバ支持部には、補助ルーバの可動規制手段を設けた請求項３に記載の除湿装置。
【請求項５】
可動規制手段は、ルーバと、補助ルーバの一方に設けた突起と、この突起と嵌合する孔とにより構成した請求項４に記載の除湿装置。
【請求項６】
可動規制手段は、所定角度ごとに複数設けた請求項４、または５に記載の除湿装置。
【請求項７】
補助ルーバは可撓性材料にて形成した請求項１から６のいずれか一つに記載の除湿装置。
【発明の詳細な説明】
【技術分野】
【０００１】
本発明は、衣類乾燥用として用いられる除湿装置に関するものである。
【背景技術】
【０００２】
本体ケース内に除湿手段を設けた除湿装置は、除湿能力が高いことから、衣類の乾燥用として積極的に活用されている（例えば、特許文献１参照）。
【０００３】
すなわち、室内空気を前記除湿手段で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されるものである。
【特許文献１】特開２００６−１０２５７８号公報
【発明の開示】
【発明が解決しようとする課題】
【０００４】
上述のごとく従来の除湿装置は衣類乾燥用などとして極めて評価されているものであるが、一方ではさらなる使い勝手のよさが求められている。
【０００５】
すなわち、従来の除湿装置においては、本体ケースの送風口部分にルーバを設け、このルーバによって送風方向を可変し、それによって使用者の送風方向要望に応えるようになっているが、ルーバ形状が一定であるので、初期に設定した以上の送風方向可変は行えない。このため使用者は、一度干した洗濯物の干し方を、送風方向に合わせて再設定、つまり干し直しをしなければならないこともあり、さらなる使い勝手のよさが求められているのである。
【０００６】
そこで本発明は、除湿装置のルーバを、衣類乾燥用として使い勝手の良い形状とすることを目的とするものである。
【課題を解決するための手段】
【０００７】
この目的を達成するために本発明は、上方に開口する送風口を有する本体ケースと、この本体ケース内に設けた除湿手段と、前記送風口の上方を、所定間隔をおいて覆った可動自在のルーバとを備え、前記ルーバには、補助ルーバを可動自在に装着し、前記送風口は、前記本体ケースの上面に設け、前記ルーバは、その送風後端を、前記送風口の送風後端よりも後方まで延長し、その送風前端を、前記送風口の送風前端よりも前方側に延長した形状とし、前記補助ルーバは、前記ルーバの送風先端側に可動自在に装着し、前記ルーバへの支持状態において９０度以上可動可能とし、前記補助ルーバを前記ルーバ送風先端側において、略直角状態に回動保持した場合にも、前記ルーバ送風先端側と前記補助ルーバ間には送風路が形成され、これにより初期の目的を達成するものである。
【発明の効果】
【０００８】
本発明によれば、上方に開口する送風口を有する本体ケースと、この本体ケース内に設けた除湿手段と、前記送風口の上方を、所定間隔をおいて覆った可動自在のルーバとを備え、前記ルーバには、補助ルーバを可動自在に装着し、前記送風口は、前記本体ケースの上面に設け、前記ルーバは、その送風後端を、前記送風口の送風後端よりも後方まで延長し、その送風前端を、前記送風口の送風前端よりも前方側に延長した形状とし、前記補助ルーバは、前記ルーバの送風先端側に可動自在に装着し、前記ルーバへの支持状態において９０度以上可動可能とし、前記補助ルーバを前記ルーバ送風先端側において、略直角状態に回動保持した場合にも、前記ルーバ送風先端側と前記補助ルーバ間には送風路が形成されたものであるので、その使い勝手がさらに高いものとなる。
【０００９】
すなわち本発明のルーバには、補助ルーバを可動自在に装着し、送風口は、本体ケースの上面に設け、ルーバは、その送風後端を、送風口の送風後端よりも後方まで延長し、その送風前端を、送風口の送風前端よりも前方側に延長した形状とし、補助ルーバは、ルーバの送風先端側に可動自在に装着し、ルーバへの支持状態において９０度以上可動可能とし、補助ルーバをルーバ送風先端側において、略直角状態に回動保持した場合にも、ルーバ送風先端側と補助ルーバ間には送風路が形成したものであるので、この送風路を送風が通過することにより、ルーバの送風口とは反対側に導かれ、送風が上方へと導かれるのである。これにより、補助ルーバを可動させる事により、送風口からの送風方向を、ルーバと補助ルーバの組み合わせで、より細かく、また広範囲に可変することができるので、例えば洗濯物の干し方も、生活空間において、より自由に設定することもでき、洗濯物を干すスペースが無い場合に、本体ケース上方の空間を利用して乾燥動作が行えるものである。その結果として、その使い勝手がさらに高いものとなるのである。
【発明を実施するための最良の形態】
【００１０】
以下本発明の一実施形態を添付図面を用いて説明する。
【００１１】
図１において、縦長箱状の本体ケース１の背面に吸込口２、上面の背面側に送風口３を設けている。また本体ケース１内には、圧縮機（図示せず）と、凝縮器４、蒸発器５を備えた冷凍サイクルと、除湿ロータ６からなる除湿手段が設けられている。
【００１２】
すなわち、上記先行文献にも類似する構成が記載されているので、ここでは説明を簡略化するが、本実施形態の除湿動作は以下のようになっている。先ずモータ７によりファン８を駆動すると、吸込口２から室内空気が本体ケース１内に吸入され、この空気の大部分は凝縮器４で加熱され、相対湿度が低くなった状態で、送風口３から室内に送風されるようになっている。
【００１３】
また、ファン８により本体ケース１内に吸入された空気の一部は、加熱され、相対湿度が低くなった状態で除湿ロータ６の放出部を通過し、このとき、この放出部からの放出湿度を伴って次に蒸発器５へと誘導され、この蒸発器５で冷却され、ここで湿気を結露させる。この結露水はドレインパン９を介してタンク１０中に溜められる。
【００１４】
また、蒸発器５で結露しなかった湿気は除湿ロータ６の吸湿部で吸湿され、この吸湿部は除湿ロータ６の回転によりその後上記放出部となり、これにより捕らえた湿気を加熱空気に再放出させ、次に蒸発器５で冷却し、湿気を結露させて除去する。このような除湿動作により、乾燥した空気が生成され、この乾燥空気が上述の送風口３から本体ケース１後方の室内に送風されるようになっている。したがって、この送風部分に洗濯物を干しておれば、乾燥が効率的に進むものとなるのである。
【００１５】
本実施形態における特徴点は、送風口３と、ここに設けたルーバ１１部分にある。まず、送風口３は図１のごとく、本体ケース１の上面の後方に、上方に開口して設けている。また、ルーバ１１は図１、図２のごとく、その送風後端１１ａ（本体ケース１前方側端）を、この送風口３の送風後端よりも後方まで延長し、またその送風前端１１ｂ（本体ケース１後方側端）を、前記送風口３の送風前端よりも前方側に延長した形状としている。つまり、送風口３の上面は所定間隔をおいてルーバ１１で覆った状態としている。
【００１６】
また、ルーバ１１の送風先端側は図２のごとく下方への湾曲状態とし、この湾曲面の一部を補助ルーバ１２で構成している。この、補助ルーバ１２は、ルーバ１１の送風先端側に可動自在に装着されている。
【００１７】
具体的には、ルーバ１１の送風先端部の両側に、送風先端方向に伸びる補助ルーバ支持部１１ｃを設け、これら両側の補助ルーバ支持部１１ｃには貫通孔１１ｄを設け、左右の貫通孔１１ｄに、補助ルーバ１２の両側の支軸１２ａを貫通させている。そして、これによりこれら両側の補助ルーバ支持部１１ｃ間に、補助ルーバ１２を回動自在に軸支させているのである。さらに、ルーバ１１の補助ルーバ支持部１１ｃには、補助ルーバ１２の可動規制手段を設けている。
【００１８】
この可動規制手段は、ルーバ１１と、補助ルーバ１２の一方に設けた突起（図示せず）と、この突起と嵌合する孔（図３の補助ルーバ支持部１１ｃの孔１１ｅ）とにより構成しており、しかもこの可動規制手段は、所定角度ごとに複数設けているので、後述するごとく補助ルーバ１２を回動させ、その状態で保持できるようにしている。
【００１９】
なお、補助ルーバ１２は可撓性材料にて形成しているので、長手方向の撓みを利用し、上記両側の補助ルーバ支持部１１ｃの貫通孔１１ｄに、補助ルーバ１２の両側の支軸１２ａを貫通させ、さらに補助ルーバ１２を回動させ、その状態でルーバ１１と、補助ルーバ１２の一方に設けた突起（図示せず）と、この突起と嵌合する孔（図３の補助ルーバ支持部１１ｃの孔１１ｅ）とを嵌合させ、可動規制を行うものであり、手動で簡単に行うことができる。
【００２０】
上記構成の補助ルーバ１２は、ルーバ１１への支持状態において９０度以上可動可能としており、次に送風制御動作とともにこの補助ルーバ１２の調整について説明する。
【００２１】
図４および図５は、補助ルーバ１２を回動させず、ルーバ１１と一体的にした状態の送風時を示している。この送風時には、ルーバ１１は図４の状態と図５に示す状態との間でモータ（図示せず）により往復回動し、これにより送風口３からの送風は、本体ケース１の背面の水平方向から下方へと送られる。つまり、この場合は、たとえば洗濯物が下方に干されていた場合の送風動作である。
【００２２】
図６〜図８は洗濯物１３が本体ケース１の背面側上方に干された場合の操作を示している。この場合には、補助ルーバ１２をほぼ反転状態まで回動させて保持し、この状態でルーバ１１を図７の状態と図８に示す状態との間でモータ（図示せず）により往復回動し、これにより送風口３からの送風を、本体ケース１の背面の上方へと送るものである。
【００２３】
このとき、図７および図８にも示すように、補助ルーバ１２が略反転状態となることから、ルーバ１１送風先端側と補助ルーバ１２間には送風路１４が形成され、この送風路１４を通過させることにより、さらに送風を上方へと導クコとができる。
【００２４】
次に図９〜図１１は、洗濯物１３を、本体ケース１の上方に干した状態を示している。この場合は、洗濯物１３を干すスペースが無い場合などの状況を示しており、本体ケース１上方の空間を利用して乾燥動作が行える。すなわち、まず補助ルーバ１２を、ルーバ１１の送風先端側において、略直角状態に回動保持し、この状態でルーバ１１を図１０の状態と図１１に示す状態との間でモータ（図示せず）により往復回動し、これにより送風口３からの送風を、本体ケース１の上方へと送るものである。
【００２５】
このとき、図１０および図１１に示すように、補助ルーバ１２を、ルーバ１１の送風先端側において、略直角状態に回動保持しているので、送風口３からルーバ１１に沿って進む送風は、ルーバ１１の送風先端側において、補助ルーバ１２によりルーバ１１の送風口３とは反対側に導かれ、このことが上述のごとく、また図９に示すごとく送風を本体ケース１の上方へと導くことになるものである。
【００２６】
なお、補助ルーバ１２をルーバ１１送風先端側において、略直角状態に回動保持した場合にも、ルーバ１１送風先端側と補助ルーバ１２間には送風路１４が形成されており、この送風路１４を送風が通過することにより、上述のごとく送風が上方へと導かれるのである。
【００２７】
また、補助ルーバ１２は上述のごとく、手動操作で簡単に回動させ、その状態で保持させることができるので、使用者は送風希望方向へ簡単に送風切り変えできるものとなり、極めて使い勝手の良いものとなる。
【産業上の利用可能性】
【００２８】
本発明に本発明は、上方に開口する送風口を有する本体ケースと、この本体ケース内に設けた除湿手段と、前記送風口の上方を、所定間隔をおいて覆った可動自在のルーバとを備え、前記ルーバには、補助ルーバを可動自在に装着したものであるので、その使い勝手がさらに高いものとなる。
【００２９】
すなわち本発明のルーバには、補助ルーバを可動自在に装着したものであるので、補助ルーバを可動させることにより、送風口からの送風方向を、ルーバと補助ルーバの組み合わせで、より細かく、また広範囲に可変することができるので、例えば洗濯物の干し方も、生活空間において、より自由に設定することもでき、その結果として、その使い勝手がさらに高いものとなるのである。したがって、各種乾燥希望物の乾燥などに広く活用されるものとなる。
【図面の簡単な説明】
【００３０】
【図１】本発明の一実施形態の概略断面図
【図２】同ルーバ部分の斜視図
【図３】同ルーバ部分の分解斜視図
【図４】同動作を説明する部分断面図
【図５】同動作を説明する部分断面図
【図６】同使用例を示す斜視図
【図７】同動作を説明する部分断面図
【図８】同動作を説明する部分断面図
【図９】同他の使用例を示す斜視図
【図１０】同動作を説明する部分断面図
【図１１】同動作を説明する部分断面図
【符号の説明】
【００３１】
１    本体ケース
２    吸込口
３    送風口
４    凝縮器
５    蒸発器
６    除湿ロータ
７    モータ
８    ファン
９    ドレインパン
１０  タンク
１１  ルーバ
１２  補助ルーバ
１３  洗濯物
１４  送風路
【図１】
0005262163.tif 000002
【図２】
0005262163.tif 000003
【図３】
0005262163.tif 000004
【図４】
0005262163.tif 000005
【図５】
0005262163.tif 000006
【図６】
0005262163.tif 000007
【図７】
0005262163.tif 000008
【図８】
0005262163.tif 000009
【図９】
0005262163.tif 000010
【図１０】
0005262163.tif 000011
【図１１】
0005262163.tif 000012